(57)【要約】【課題】内部の構成を単純化して取り扱いやすくし、簡単な操作で内部の機構を外部に露出（作業アクセス）可能とし、組み立て作業性およびメンテナンス作業性を向上可能な印字装置を提供する。【解決手段】印字装置における各種機能をユニット化し、各ユニットを開閉可能とすることに着目し、中央本体ユニット２と、印字部１８を有する印字ユニット３と、駆動部５０を有する駆動ユニット４と、制御部５６を有する制御ユニット５と、電源部５９を有する電源ユニット６と、を有し、中央本体ユニット２の一方の側面に印字ユニット３を設け、中央本体ユニット２の他方の側面に駆動ユニット４を設け、制御ユニット５および電源ユニット６を中央本体ユニット２に対して開閉可能に取り付けて、駆動部５０、制御部５６および電源部５９を外部に露出可能としている。【選択図】図６
2015223705.tif 000002
【特許請求の範囲】
【請求項１】
印字用紙に印字するための印字装置であって、
中央本体ユニットと、
前記印字用紙に印字を行う印字部を有する印字ユニットと、
この印字ユニットを駆動する駆動部を有する駆動ユニットと、
この駆動ユニットおよび前記印字ユニットの制御を行う制御部を有する制御ユニットと、
この制御ユニット、前記駆動ユニットおよび前記印字ユニットに電力を供給する電源部を有する電源ユニットと、を有し、
前記中央本体ユニットの一方の側面に前記印字ユニットを設け、
前記中央本体ユニットの他方の側面に前記駆動ユニットを設けるとともに、
前記制御ユニットおよび前記電源ユニットを、前記中央本体ユニットに対して開閉可能に取り付けて、前記駆動部、前記制御部および前記電源部を外部に露出可能としていることを特徴とする印字装置。
【請求項２】
前記制御ユニットは、前記中央本体ユニットに対して開閉可能な制御ユニットカバーを有するとともに、この制御ユニットカバーの内壁面に前記制御部を設け、
前記電源ユニットは、前記中央本体ユニットに対して開閉可能な電源ユニットカバーを有するとともに、この電源ユニットカバーの内壁面に前記電源部を設けることを特徴とする請求項１記載の印字装置。
【請求項３】
前記制御ユニットおよび前記電源ユニットのそれぞれの内部には、収容空間を形成可能として、前記駆動部、前記制御部および前記電源部を収容可能とするとともに、
前記駆動部、前記制御部および前記電源部を互いに接続する各種のケーブルを前記収容空間内に収容可能としていることを特徴とする請求項１または２記載の印字装置。
【請求項４】
前記制御ユニットカバーの制御ユニットカバー開閉軸および前記電源ユニットカバーの電源ユニットカバー開閉軸はそれぞれ、前記中央本体ユニットにおいて前記駆動ユニットの左右に位置する前記中央本体ユニットの相対する反対側端部にこれを設けて、
前記制御ユニットカバーの開放により、前記駆動部および前記制御部を外部に露出可能としているとともに、
前記電源ユニットカバーの開放により、前記駆動部および前記電源部を外部に露出可能としていることを特徴とする請求項２または３記載の印字装置。
【請求項５】
前記制御ユニットの前記制御ユニットカバーは、前記駆動ユニットおよび前記電源ユニットに対するそれぞれの面を開放面としているとともに、
前記電源ユニットの前記電源ユニットカバーは、前記駆動ユニットおよび前記制御ユニットに対するそれぞれの面を開放面としていることを特徴とする２ないし４のいずれかに記載の印字装置。
【請求項６】
前記印字ユニットは、前記中央本体ユニットに対して開閉可能な印字ユニットカバーの開放により、前記印字部を外部に対して露出可能としていることを特徴とする請求項１ないし５のいずれかに記載の印字装置。
【請求項７】
前記中央本体ユニットには、前記印字用紙としてのラベルを被貼付け物に貼り付けるラベル貼付け機に、当該印字装置を取り付けるための取付け部を設けていることを特徴とする請求項１ないし６のいずれかに記載の印字装置。
【請求項８】
前記中央本体ユニットの前記取付け部は、前記中央本体ユニットの周縁部にこれを設けていることを特徴とする請求項７記載の印字装置。
【請求項９】
前記中央本体ユニットの前記取付け部は、前記中央本体ユニットの周縁部に形成した複数個の取付け孔であることを特徴とする請求項７または８記載の印字装置。
【請求項１０】
当該印字装置は、前記印字用紙としてのラベルを被貼付け物に貼り付けるラベル貼付け機に対して、前記中央本体ユニットにおいて任意の姿勢でこれを取り付け可能であることを特徴とする請求項１ないし９のいずれかに記載の印字装置。
【請求項１１】
当該印字装置は、前記印字用紙としてのラベルを貼り付ける被貼付け物に対して、前記中央本体ユニットにおいて任意の姿勢でこれを取り付け可能であることを特徴とする請求項１ないし９のいずれかに記載の印字装置。
【発明の詳細な説明】
【技術分野】
【０００１】
本発明は印字装置にかかるもので、とくに組み立て作業性やメンテナンス作業性を向上させることができる印字装置に関するものである。
【背景技術】
【０００２】
従来から、ラベルやタグなどの印字用紙に所定の情報を印字して発行する印字装置があり、印字発行された印字用紙（たとえばラベル）を段ボールその他任意の被貼付け物に貼り付けるラベル貼付け機も開発されている。
この印字装置は、熱転写方式あるいは熱発色（感熱）方式、さらにはインクジェット方式や静電印字方式など任意の印字方式を採用しているが、その制御基板や駆動用のギアボックスその他各種の機構や部品について保守点検作業ないしメンテナンス作業を行う必要がある。
【０００３】
しかしながら、このようなメンテナンス作業において、装置本体に多くの部品や機構を組み付けているために、印字装置の内部が混み入った構成にならざるを得ないという問題がある。
したがって、必要なメンテナンス作業を行うために、他の必要がない部分までを分解ないし装置本体から一時的に取り除かなければならず、作業性を改善したいという要望がある。たとえば、ギアボックスなどが制御基板により遮蔽されているために、ギアボックスの交換の際に、本来はメンテナンスが必要のない制御基板を取り外さなければならないという問題がある。
【０００４】
とくに、当該印字装置をラベル貼付け機などに組み込んで使用する場合には、ラベル貼付け機の部位に被貼付け物を搬送してくる各種コンベアその他のシステムが混在し、さらにメンテナンス作業性が低下するという問題がある。
【０００５】
さらに、印字装置を製作するにあたっても、各種の機構および部品の組み立ての、より良好な作業性が求められているという問題がある。
【先行技術文献】
【特許文献】
【０００６】
【特許文献１】特許第４６６６５９８号公報
【発明の概要】
【発明が解決しようとする課題】
【０００７】
本発明は以上のような諸問題にかんがみなされたもので、組み立て作業およびメンテナンス作業の作業性を向上可能な印字装置を提供することを課題とする。
【０００８】
また本発明は、内部の構成を簡略化ないし単純化して取り扱いやすくすることができるようにした印字装置を提供することを課題とする。
【０００９】
また本発明は、簡単な操作で内部の機構を外部に露出（作業アクセス）可能とした印字装置を提供することを課題とする。
【課題を解決するための手段】
【００１０】
すなわち本発明は、印字装置における各種機能をユニット化するとともに、それぞれのユニット部分を開閉可能とすることに着目したもので、印字用紙に印字するための印字装置であって、中央本体ユニットと、上記印字用紙に印字を行う印字部を有する印字ユニットと、この印字ユニットを駆動する駆動部を有する駆動ユニットと、この駆動ユニットおよび上記印字ユニットの制御を行う制御部を有する制御ユニットと、この制御ユニット、上記駆動ユニットおよび上記印字ユニットに電力を供給する電源部を有する電源ユニットと、を有し、上記中央本体ユニットの一方の側面に上記印字ユニットを設け、上記中央本体ユニットの他方の側面に上記駆動ユニットを設けるとともに、上記制御ユニットおよび上記電源ユニットを、上記中央本体ユニットに対して開閉可能に取り付けて、上記駆動部、上記制御部および上記電源部を外部に露出可能としていることを特徴とする印字装置である。
【００１１】
上記制御ユニットは、上記中央本体ユニットに対して開閉可能な制御ユニットカバーを有するとともに、この制御ユニットカバーの内壁面に上記制御部を設け、上記電源ユニットは、上記中央本体ユニットに対して開閉可能な電源ユニットカバーを有するとともに、この電源ユニットカバーの内壁面に上記電源部を設けることができる。
【００１２】
上記制御ユニットおよび上記電源ユニットのそれぞれの内部には、収容空間を形成可能として、上記駆動部、上記制御部および上記電源部を収容可能とするとともに、上記駆動部、上記制御部および上記電源部を互いに接続する各種のケーブルを上記収容空間内に収容可能としていることができる。
【００１３】
上記制御ユニットカバーの制御ユニットカバー開閉軸および上記電源ユニットカバーの電源ユニットカバー開閉軸はそれぞれ、上記中央本体ユニットにおいて上記駆動ユニットの左右に位置する上記中央本体ユニットの相対する反対側端部にこれを設けて、上記制御ユニットカバーの開放により、上記駆動部および上記制御部を外部に露出可能としているとともに、上記電源ユニットカバーの開放により、上記駆動部および上記電源部を外部に露出可能としていることができる。
【００１４】
上記制御ユニットの上記制御ユニットカバーは、上記駆動ユニットおよび上記電源ユニットに対するそれぞれの面を開放面としているとともに、上記電源ユニットの上記電源ユニットカバーは、上記駆動ユニットおよび上記制御ユニットに対するそれぞれの面を開放面としていることができる。
【００１５】
上記印字ユニットは、上記中央本体ユニットに対して開閉可能な印字ユニットカバーの開放により、上記印字部を外部に対して露出可能としていることができる。
【００１６】
上記中央本体ユニットには、上記印字用紙としてのラベルを被貼付け物に貼り付けるラベル貼付け機に、当該印字装置を取り付けるための取付け部を設けていることができる。
【００１７】
上記中央本体ユニットの上記取付け部は、上記中央本体ユニットの周縁部にこれを設けていることができる。
【００１８】
上記中央本体ユニットの上記取付け部は、上記中央本体ユニットの周縁部に形成した複数個の取付け孔であることができる。
【００１９】
当該印字装置は、上記印字用紙としてのラベルを被貼付け物に貼り付けるラベル貼付け機に対して、上記中央本体ユニットにおいて任意の姿勢でこれを取り付け可能であることができる。
【００２０】
当該印字装置は、上記印字用紙としてのラベルを貼り付ける被貼付け物に対して、上記中央本体ユニットにおいて任意の姿勢でこれを取り付け可能であることができる。
【発明の効果】
【００２１】
本発明による印字装置においては、印字装置における各種機能をユニット化するとともに、それぞれのユニット部分を開閉可能としたので、駆動部、制御部および電源部を外部からアクセス可能とし、その組み立て作業およびメンテナンス作業の作業性を向上することができる。
【図面の簡単な説明】
【００２２】
【図１】本発明の実施例による印字装置をラベル貼付け機用のラベルプリンター１として応用した場合の、このラベルプリンター１の正面側の斜視図である。
【図２】同、図１に示したラベルプリンター１において、印字ユニット３の印字ユニットカバー７を開放し、制御ユニット５の制御ユニットカバー８を開放し、さらに電源ユニット６の電源ユニットカバー９を開放した状態の斜視図である。
【図３】同、ラベルプリンター１の背面側の斜視図である。
【図４】同、図３に示したラベルプリンター１において、印字ユニット３の印字ユニットカバー７を開放し、制御ユニット５の制御ユニットカバー８を開放し、さらに電源ユニット６の電源ユニットカバー９を開放した状態の斜視図である。
【図５】同、ラベルプリンター１において、印字ユニット３の印字ユニットカバー７を取り除いた状態の正面図である。
【図６】同、ラベルプリンター１の構成を概略的に示しており、図６（１）は、ラベルプリンター１の概略平面図、図６（２）は、制御ユニット５の制御ユニットカバー８および電源ユニット６の電源ユニットカバー９を開放した状態の概略平面図、図６（３）は、印字ユニット３の印字ユニットカバー７を開放した状態の概略側面図である。
【図７】同、本発明によるラベルプリンター１をラベル貼付け機７０に組み込んで使用する場合の一例を示す概略側面図である。
【図８】同、本発明によるラベルプリンター１をラベル貼付け機７０に組み込んで使用する場合の他の例を示す概略平面図である。
【発明を実施するための形態】
【００２３】
本発明は、印字装置における各種機能をユニット化するとともに、それぞれのユニット部分を開閉可能としたので、組み立て作業およびメンテナンス作業の作業性を向上可能な印字装置を実現した。
【実施例】
【００２４】
つぎに本発明の実施例による印字装置をラベル貼付け機用のラベルプリンター１に応用した構成を例に取って図１ないし図８にもとづき説明する。
図１は、ラベルプリンター１の正面側の斜視図であって、ラベルプリンター１は、中央本体ユニット２と、中央本体ユニット２の一方の側面（正面）側に位置する印字ユニット３と、中央本体ユニット２の他方（反対側）の側面（背面）側に位置する駆動ユニット４（とくに図４を参照）、制御ユニット５および電源ユニット６（とくに図３および図４を参照）と、にこれを分割してある。
【００２５】
図２は、図１に示したラベルプリンター１において、印字ユニット３の印字ユニットカバー７を開放し、制御ユニット５の制御ユニットカバー８を開放し、さらに電源ユニット６の電源ユニットカバー９を開放した状態の斜視図である。
印字ユニットカバー７は、中央本体ユニット２の支持ケース１０に設けた印字ユニットカバー開閉軸１１のまわりに鉛直面内で開閉可能である。
制御ユニットカバー８は、中央本体ユニット２の一方の端部に設けた制御ユニットカバー開閉軸１２（図４）のまわりに水平面内で開閉可能である。
電源ユニットカバー９は、中央本体ユニット２の他方の端部に設けた電源ユニットカバー開閉軸１３のまわりに水平面内で開閉可能である。
なお、印字ユニットカバー７と支持ケース１０との間には、印字ユニットカバー７の開閉動作にともなって屈曲可能な支持リンク１４を設けることにより、印字ユニットカバー７の開放状態を保持可能としているとともに、一対の磁石（カバー側磁石１５およびケース側磁石１６）を設けて印字ユニットカバー７の閉鎖状態を開放可能としつつ保持可能としている。
【００２６】
図３は、ラベルプリンター１の背面側の斜視図、図４は、図３に示したラベルプリンター１において、印字ユニット３の印字ユニットカバー７を開放し、制御ユニット５の制御ユニットカバー８を開放し、さらに電源ユニット６の電源ユニットカバー９を開放した状態の斜視図である。
中央本体ユニット２は、所定の機械的強度を有する矩形状を呈する盤状ユニットであって、ラベルプリンター１のほぼ中央部に位置し、印字ユニット３、駆動ユニット４、制御ユニット５および電源ユニット６を組み付けている。
【００２７】
図５は、ラベルプリンター１において、印字ユニット３の印字ユニットカバー７を取り除いた状態の正面図である。
中央本体ユニット２には、当該ラベルプリンター１をラベル貼付け機（図７および図８において後述）に取り付けるための取付け部１７を設けている。
この取付け部１７は、任意の構成を選択することができるが、図示の例では、たとえば、中央本体ユニット２の周縁部にこれを設けており、さらに具体的には、中央本体ユニット２の周縁部に形成した複数個（たとえば５個）の取付け孔（上方中央取付け孔１７Ａ、上方左端取付け孔１７Ｂ、上方右端取付け孔１７Ｃ、下方左端取付け孔１７Ｄ、下方右端取付け孔１７Ｅ）である。
【００２８】
印字ユニット３は、印字用紙（たとえば、ラベルないしラベル連続体）に印字を行う印字部１８を有する。
既述のように、印字ユニット３は、中央本体ユニット２に対して開閉可能な印字ユニットカバー７の開放により、印字部１８を外部に対して露出（操作可能に開放）可能としている。
印字ユニット３は、ラベル連続体１９（印字用紙）の導入口２０から排出口２１までの間の移送路２２においてラベル連続体１９に所定の情報を印字可能である。
ラベル連続体１９は、とくに図５において、その断面図を拡大して示すように、帯状の台紙２３と、台紙２３の上に仮着した複数枚のラベル片２４と、を有し、台紙２３の裏面側にあらかじめ位置検出用マーク（図示せず）を印刷してある。
【００２９】
印字部１８は、移送路２２の上流側（図５中、左側）から、幅規制用シャフト２５（図２）と、上下一対の補助移送ローラー２６と、位置検出用センサー２７と、移送方向一対のガイドローラー２８と、台紙引っ張りローラー２９と、プラテンローラー３０およびサーマルヘッド３１と、剥離板３２と、熱転写インクリボン３３のリボン供給軸３４およびリボン巻取り軸３５と、を有する。
【００３０】
幅規制用シャフト２５には、とくに図２中奥側（ラベル連続体１９の移送方向左側）の第１の幅規制固定用壁部３６と、幅規制可動リング３７と、を設けてあり、第１の幅規制固定用壁部３６および幅規制可動リング３７、さらにはプラテンローラー３０のやや上流側の第２の幅規制固定用壁部３８（図５）により、ラベル連続体１９の左右両縁部を規制して移送路２２に沿ってラベル連続体１９の移送姿勢を適正に規制可能としている。
【００３１】
補助移送ローラー２６は、プラテンローラー３０と同期して、プラテンローラー３０およびサーマルヘッド３１によるラベル連続体１９の正逆方向（下流側への正移送方向、および上流側への逆移送方向）の移送の補助を行う。
【００３２】
位置検出用センサー２７は、ラベル連続体１９の台紙２３の裏面側の上記位置検出用マーク（図示せず）を検出して、ラベル連続体１９のプラテンローラー３０ないしサーマルヘッド３１との相対位置関係を検出可能とする。
【００３３】
台紙引っ張りローラー２９は、剥離板３２の部分で転向されたラベル連続体１９の台紙２３を後方（上流側、図５中、左方向）に送り、台紙ガイドローラー３９を経て、当該ラベルプリンター１とは別構成の台紙巻取り軸（図示せず）に巻き取り可能とする。
【００３４】
プラテンローラー３０は、サーマルヘッド３１との間にラベル連続体１９および熱転写インクリボン３３を、押圧スプリング４０による所定印字圧で挟持し、サーマルヘッド３１への印字データ供給とともにプラテンローラー３０の回転駆動により、ラベル連続体１９（ラベル片２４）上に所定情報を印字する。
なお、リボン供給軸３４からの熱転写インクリボン３３は、第１のリボンガイドローラー４１を経て、プラテンローラー３０およびサーマルヘッド３１の間に供給され、第２のリボンガイドローラー４２を経てリボン巻取り軸３５に巻き取られる。
【００３５】
また、とくに図２に示すように、開閉レバー４３を図中時計方向に回動操作することによりプラテンローラー３０とサーマルヘッド３１との間を離間させることができ、その間にラベル連続体１９および熱転写インクリボン３３を装填挟持可能である。開閉レバー４３を反時計方向に回動操作するとともに、その先端部をレバー係合ピン４４に係合することにより、図５に示す印字態勢にセットすることができる。
【００３６】
剥離板３２は、その先端部においてラベル連続体１９の台紙２３のみを転向させることにより台紙２３からラベル片２４を剥離して、ラベルプリンター１外に排出発行することができる。発行されたラベル片２４は、後述するように、ラベル貼付け機（図７、図８）により被貼付け物に貼り付けられる。
【００３７】
なお、とくに図１および図５に示すように、中央本体ユニット２の支持ケース１０の上部に位置して、電源スイッチ４５、各種の操作キーを備えた操作部４６、および液晶ディスプレイなどによる表示部４７を設けてある。
【００３８】
さらに、とくに図２および図５に示すように、支持ケース１０の正面側には、ＵＳＢ接続口４８を設けて、ＵＳＢメモリー４９を接続可能としている。
印字ユニット３の前記印字ユニットカバー７の閉鎖状態では、この印字ユニットカバー７により、ＵＳＢ接続口４８およびＵＳＢメモリー４９は外部から保護されることになるので、外部からの衝撃を直接受けることなく、ＵＳＢメモリー４９の不用意な破損あるいは取り外しを回避可能であるとともに、外部からは視認しにくいので、盗難防止にもつながる。
【００３９】
ＵＳＢ接続口４８の配置位置としては、中央本体ユニット２における支持ケース１０ないし移送路２２の上流側上方隅部である。
すなわち、ラベル連続体１９の移送路２２上方において、プラテンローラー３０およびサーマルヘッド３１が設けられている下流側よりもリボン供給軸３４が位置している上流側の方が、残余空間がより大きな場所となっている。したがって、リボン供給軸３４およびリボン巻取り軸３５に装填される熱転写インクリボン３３の最大ロール径の外周面とは接触しない位置（すなわち、移送路２２の上流側上方隅部）を選択することによって空間（ないし面積）を有効活用し、ＵＳＢ接続口４８の配置位置を敢えて別途設計することなく、ラベルプリンター１の外形寸法に制約があってもその小型化を可能としている。
【００４０】
とくに図４に示すように、前記駆動ユニット４は、中央本体ユニット２における印字ユニット３の反対側に位置しており、上述の印字ユニット３を駆動する駆動部５０を有する。
駆動部５０は、それぞれ必要な駆動力を備えたステップモーターからなる第１の駆動モーター５１、第２の駆動モーター５２、第３の駆動モーター５３および第４の駆動モーター５４と、ギアボックス５５と、を有する。
【００４１】
第１の駆動モーター５１は、印字ユニット３の移送路２２におけるプラテンローラー３０と、プラテンローラー３０に必要なタイミングベルト（図示せず）により連結している補助移送ローラー２６および台紙引っ張りローラー２９と、を回転駆動する。
第２の駆動モーター５２は、熱転写インクリボン３３のリボン巻取り軸３５を回転駆動する。
第３の駆動モーター５３は、熱転写インクリボン３３の第２のリボンガイドローラー４２を回転駆動する。
第４の駆動モーター５４は、印字ユニット３においてラベル連続体１９への印字データに空白部がある場合に、押圧スプリング４０の押圧力に抗してサーマルヘッド３１をプラテンローラー３０から強制的に上方に離反させることにより、熱転写インクリボン３３の無駄な消費を抑える。
ギアボックス５５は、第１の駆動モーター５１にこれを接続してあり、印字ユニット３におけるラベル連続体１９への印字密度に応じてプラテンローラー３０の回転ピッチを調整可能としている。
【００４２】
前記制御ユニット５は、駆動ユニット４および印字ユニット３さらには電源ユニット６の制御を行う制御部５６を有する。制御ユニット５は、中央本体ユニット２に対して開閉可能な制御ユニットカバー８を有するとともに、この制御ユニットカバー８の内壁面に制御部５６を設けている。
制御部５６は、制御基板５７を有するとともに、制御ユニットカバー８の表面側に、各種電気的接続口５８（図３）を設けてパソコンその他の外部機器（図示せず）との間のデータおよびコマンドの授受を可能としている。
【００４３】
前記電源ユニット６は、制御ユニット５、駆動ユニット４および印字ユニット３に電力を供給する電源部５９を有する。電源ユニット６は、中央本体ユニット２に対して開閉可能な電源ユニットカバー９を有するとともに、この電源ユニットカバー９の内壁面に電源部５９を設ける。
電源部５９は、コンセント６０を介して外部から電力の供給を受けるとともに、各種のケーブル６１を介して印字ユニット３、駆動ユニット４、制御ユニット５、操作部４６および表示部４７などに必要な電力を供給する。なお、図４中では、各種のケーブル６１を模式的に描いている。
電源ユニット６の電源ユニットカバー９には、空調ファン６２を設けて、閉鎖時の駆動ユニット４、制御ユニット５および電源ユニット６の内部空間（収容空間６８、後述）の空調を行う。
【００４４】
とくに図４に示すように、電源ユニット６の電源ユニットカバー９の開放端縁部には、細幅状の閉鎖保持用プレート６３を一体的に設けるとともに、閉鎖保持用プレート６３に一対の固定用ネジ孔６４を形成している。
さらに制御ユニット５の制御ユニットカバー８の細幅状の開放端縁部６５には、開放端縁部６５に一対の固定用ネジ孔６６を形成している。
したがって、図３に示すように、電源ユニットカバー９の閉鎖保持用プレート６３が制御ユニットカバー８の閉鎖保持用プレート６５の内方側に位置するように電源ユニットカバー９を制御ユニットカバー８に対して閉鎖した状態で、一対の保持ネジ６７を固定用ネジ孔６４および固定用ネジ孔６６に通して電源ユニットカバー９および制御ユニットカバー８を閉鎖状態とすることができる。
【００４５】
とくに図４に示すように、制御ユニット５の制御ユニットカバー８は直方体形状を呈しているが、駆動ユニット４および電源ユニット６に対するそれぞれの面を開放面としているとともに、電源ユニット６の電源ユニットカバー９も同じく直方体形状と呈しているが、駆動ユニット４および制御ユニット５に対するそれぞれの面を開放面としている。
しかも、制御ユニットカバー８の制御ユニットカバー開閉軸１２および電源ユニットカバー９の電源ユニットカバー開閉軸１３はそれぞれ、駆動ユニット４を中央部にして中央本体ユニット２の相対する反対側端部にこれを設けてある。すなわち、中央本体ユニット２に対して制御ユニット５および電源ユニット６をそれぞれ開閉可能に取り付けている。
したがって、制御ユニットカバー８の開放により、駆動部５０および制御部５６を外部に露出可能としているとともに、電源ユニットカバー９の開放により、駆動部５０および電源部５９を外部に露出可能としている。
かくして、制御ユニット５の制御ユニットカバー８および電源ユニット６の電源ユニットカバー９を開放した状態で、駆動ユニット４、制御ユニット５および電源ユニット６をすべて外部に向かって開放し、それぞれの駆動部５０、制御部５６および電源部５９について必要なメンテナンス作業を容易に実行可能である。
【００４６】
換言すれば、ラベルプリンター１においては、制御ユニット５および電源ユニット６のそれぞれの内部には、収容空間６８を形成可能として、駆動部５０、制御部５６および電源部５９を収容可能とするとともに、駆動部５０、制御部５６および電源部５９を互いに接続する各種のケーブル６１を収容空間６８内に収容可能としている。
【００４７】
図６は、既述したラベルプリンター１の構成を概略的に示しており、図６（１）は、ラベルプリンター１の概略平面図、図６（２）は、制御ユニット５の制御ユニットカバー８および電源ユニット６の電源ユニットカバー９を開放した状態の概略平面図、図６（３）は、印字ユニット３の印字ユニットカバー７を開放した状態の概略側面図である。
とくに図６（１）に示すように、ラベルプリンター１においては、既述のように、中央本体ユニット２の一方の側面に印字ユニット３を設け、中央本体ユニット２の他方の側面に駆動ユニット４を設けるとともに、制御ユニット５および電源ユニット６を、中央本体ユニット２に対して開閉可能に取り付けて、駆動部５０、制御部５６および電源部５９を外部に露出可能としている。
【００４８】
とくに図６（２）に示すように、制御ユニットカバー開閉軸１２のまわりに制御ユニットカバー８を回動開放することにより、制御部５６および駆動部５０を外部に露出可能である。また、電源ユニットカバー開閉軸１３のまわりに電源ユニットカバー９を回動開放することにより、電源部５９および駆動部５０を外部に露出可能である。
【００４９】
とくに図６（３）に示すように、印字ユニットカバー開閉軸１１のまわりに印字ユニットカバー７を回動開放することにより、印字部１８を外部に露出可能である。
【００５０】
したがって、印字ユニットカバー７の開放により、印字部１８にラベル連続体１９および熱転写インクリボン３３を装填可能であるとともに、必要時に必要なメンテナンス作業を行うことができる。
さらに、制御ユニットカバー８の開放により、駆動部５０および制御部５６について必要時に必要なメンテナンス作業を行うことができる。
さらにまた、電源ユニットカバー９の開放により、駆動部５０および電源部５９について必要時に必要なメンテナンス作業を行うことができる。
要するに、制御ユニットカバー８および電源ユニットカバー９を回動開放すれば、駆動部５０、制御部５６および電源部５９を互いに平面（図示の例では、鉛直面）上にすべて外部に向かって開放し、それぞれの機構や部品について必要な部分に容易かつ直ちにアクセスして、必要なメンテナンス作業を実行可能である。
もちろん、ラベルプリンター１の製造工程において、駆動部５０、制御部５６および電源部５９それぞれの組み立て作業性も良好である。
【００５１】
つぎに、当該ラベルプリンター１は、中央本体ユニット２において、ラベル貼付け機に対して任意の姿勢でこれを取り付け可能である。
あるいは、当該ラベルプリンター１は、中央本体ユニット２において、被貼付け物に対して任意の姿勢でこれを取り付け可能である。
たとえば図７は、本発明によるラベルプリンター１をラベル貼付け機７０に組み込んで使用する場合の一例を示す概略側面図である。
コンベア７１上を搬送されてくる被貼付け物７２（たとえば段ボール箱など）の上方に位置してラベルプリンター１を装備する。
すなわち、ラベルプリンター１の中央本体ユニット２における取付け部１７のうちの上方左端取付け孔１７Ｂおよび上方右端取付け孔１７Ｃにラベル貼付け機７０の鉛直支持アーム７３を通してラベルプリンター１を鉛直方向に立てた状態で空中に支持する。
【００５２】
さらに、ラベルプリンター１へのラベル連続体１９の供給部７４および台紙巻取り部７５を設けて、図５に示した印字部１８においてラベル連続体１９（ラベル片２４）に必要な情報を印字して被貼付け物７２の上方に排出発行し、ラベル貼付け機７０における貼付けローラー７６あるいは貼付け吸盤７７により、被貼付け物７２の上面にラベル片２４を貼り付けることができる。
【００５３】
図８は、本発明によるラベルプリンター１をラベル貼付け機７０に組み込んで使用する場合の他の例を示す概略平面図である。
コンベア７１上を搬送されてくる被貼付け物７２の側面に位置してラベルプリンター１を装備する。
すなわち、ラベルプリンター１の中央本体ユニット２における取付け部１７のうちの上方左端取付け孔１７Ｂ、上方右端取付け孔１７Ｃ、下方左端取付け孔１７Ｄおよび下方右端取付け孔１７Ｅにラベル貼付け機７０の側方支持アーム７８を通してラベルプリンター１を水平面内に横倒しにした状態で空中に支持する。ただし、側方支持アーム７８は、通常は紙面に垂直にこれを取り付けるが、図８においては、側方支持アーム７８を斜めの仮想線で描いてこれを確認しやすくしている。
【００５４】
さらに、図５に示したような印字部１８においてラベル連続体１９（ラベル片２４）に印字し、ラベル片２４自体を鉛直方向に立てた状態で被貼付け物７２の側面に排出発行し、貼付けローラー７６あるいは貼付け吸盤７７により、被貼付け物７２の側面にラベル片２４を貼り付けることができる。
【００５５】
なお上述の実施例においては、印字装置（ラベルプリンター１）をラベル貼付け機に組み込んだ構成を例示したが、本発明による印字装置は、これを単独で、あるいはその他任意の機構ないしシステムに組み込んだ状態で使用することができる。
印字用紙としても、台紙２３付きのラベル連続体１９以外にも、台紙なしラベル、あるいは糊面を持たないタグ用紙などを選択することもでき、それぞれの印字用紙に応じた印字部を設計可能である。
【符号の説明】
【００５６】
１  ラベルプリンター（印字装置、実施例）
２  中央本体ユニット
３  印字ユニット
４  駆動ユニット
５  制御ユニット
６  電源ユニット
７  印字ユニットカバー
８  制御ユニットカバー
９  電源ユニットカバー
１０  中央本体ユニット２の支持ケース
１１  印字ユニットカバー開閉軸
１２  制御ユニットカバー開閉軸
１３  電源ユニットカバー開閉軸
１４  支持リンク
１５  カバー側磁石
１６  ケース側磁石
１７  取付け孔（取付け部）
１７Ａ  上方中央取付け孔
１７Ｂ  上方左端取付け孔
１７Ｃ  上方右端取付け孔
１７Ｄ  下方左端取付け孔
１７Ｅ  下方右端取付け孔
１８  印字部
１９  ラベル連続体（印字用紙）
２０  導入口
２１  排出口
２２  移送路
２３  台紙
２４  ラベル片
２５  幅規制用シャフト
２６  補助移送ローラー
２７  位置検出用センサー
２８  ガイドローラー
２９  台紙引っ張りローラー
３０  プラテンローラー
３１  サーマルヘッド
３２  剥離板
３３  熱転写インクリボン
３４  リボン供給軸
３５  リボン巻取り軸
３６  第１の幅規制固定用壁部
３７  幅規制可動リング
３８  第２の幅規制固定用壁部
３９  台紙ガイドローラー
４０  押圧スプリング
４１  第１のリボンガイドローラー
４２  第２のリボンガイドローラー
４３  開閉レバー
４４  レバー係合ピン
４５  電源スイッチ
４６  操作部
４７  表示部
４８  ＵＳＢ接続口
４９  ＵＳＢメモリー
５０  駆動部
５１  第１の駆動モーター
５２  第２の駆動モーター
５３  第３の駆動モーター
５４  第４の駆動モーター
５５  ギアボックス
５６  制御部
５７  制御基板
５８  各種電気的接続口
５９  電源部
６０  コンセント
６１  各種のケーブル
６２  空調ファン
６３  閉鎖保持用プレート
６４  固定用ネジ孔
６５  開放端縁部
６６  固定用ネジ孔
６７  保持ネジ
６８  収容空間
７０  ラベル貼付け機（図７、図８）
７１  コンベア
７２  被貼付け物
７３  鉛直支持アーム
７４  供給部
７５  台紙巻取り部
７６  貼付けローラー
７７  貼付け吸盤
７８  側方支持アーム
【図１】
2015223705.tif 000003
【図２】
2015223705.tif 000004
【図３】
2015223705.tif 000005
【図４】
2015223705.tif 000006
【図５】
2015223705.tif 000007
【図６】
2015223705.tif 000008
【図７】
2015223705.tif 000009
【図８】
2015223705.tif 000010